(57)【特許請求の範囲】
【請求項１】
支持板と、該支持板に突出して一部を切欠いた屋内側レールと、前記支持板から屋内側で上方に立ち上がる立上り部とを有する既設下枠と、該既設下枠に、上方から重ねて取付ける新規レールアタッチとを備えた改修用下枠において、
新規レールアタッチは、上方から前記支持板と対向する対向板と、該対向板から垂下し、前記屋内側レールに当接するレール支持部とを備え、
前記対向板の屋内側の端部が、前記立上り部と所定の間隔をあけて対向して前記既設下枠の下枠底部と立上り部で空間を形成すると共に新規レールアタッチの新規レール底板と既設下枠底部との間を仕切る逆止弁を新規レール底板に取り付けることによりウォータバランス構造を構成したことを特徴とする改修用下枠。
【請求項２】
請求項１において、前記既設下枠は、前記屋内側レールと、前記屋内側レールより屋外側で上方に突出する屋外側レールを有し、
前記新規レールアタッチは、前記屋外側レールに対向するリブを有し、
前記レール支持部と前期屋内側レールとを当接させ、前記リブと前記屋外側レールとをねじ止めすることによって、前記既設下枠に前記新規レールアタッチを取付けることを特徴とする改修用下枠。
【請求項３】
請求項１または請求項２において、逆止弁は既設下枠に当接する当接片を有することを特徴とする改修用下枠。
【発明の詳細な説明】
【技術分野】
【０００１】
本発明は、アルミニウムサッシの傷みが生じた既設下枠をそのまま残した状態でその上に新規レールアタッチを重ねて取付けた改修用下枠において、特に雨水等を屋外側に排水するための技術に関する。
【背景技術】
【０００２】
一般にアルミニウムサッシにおける引違い窓の下枠の水密構造に、下枠内に水を溜める構造（以下、ウォータバランス構造という。）がある。
図９は水密構造がウォータバランス構造である下枠を示す説明図である。
図９に示すようにウォータバランス構造の場合、雨水が風の圧力に押されて下枠１００の屋外側レール１０１と屋外側障子１１０との隙間や、屋外側障子１１０と屋内側障子１１１との間から下枠１００内に浸入し、浸入した水が下枠１００に溜まっていくと、水の重力で浸入する水を押し返そうとする力が働いてバランスをとって、それ以上水が溜まっていくのを防いでいる。
【０００３】
従来のウォータバランス構造の下枠においては、レールを設けたレール基盤を下枠のレール取付部に交換可能に取付けて、レールに傷みが生じた場合に交換できるようにして、さらにレール基盤と下枠本体との間に排水のための水抜き穴を設けた技術が開示されている。（例えば、特許文献１参照。）。
【特許文献１】特開平９−２５０２８２（段落「０００６」、図１）  しかし上記の特許文献１においては、新たなレール基盤を交換可能に取付けるために、既に下枠のレール取付部に取付けられている古いレール基盤を取り外してから、新しいレール基盤を取付けているので手間がかかってしまう。
【０００４】
そこで、レールが傷みが生じた場合に新規レールアタッチを既設下枠に重ねて取付けるようにしたものが開示されており、そのときは既設下枠の立上り部に新規レールアタッチの対向板を水密に当接させるようにして、新規レールアタッチを下枠に重ねて取付けて改修用下枠を構成している（例えば、特許文献２参照。）。
【特許文献２】特開２００３−１２９７５６（段落「００２６」、図１）
【発明の開示】
【発明が解決しようとする課題】
【０００５】
しかしながら、上述した特許文献２の技術においては、新規レールアタッチを取付けたことによって対向板が立上り部に水密に当接しているため、最も屋内側寄りで水を溜めることができる水位が、対向板と立上り部の上端部までの間となり、新規レールアタッチの取付ける前に比べて溜められる水の量が少なくなってしまい、すぐに対向板の上に水が溜まってその水が屋内に浸入してしまうという問題がある。
【０００６】
また、上述した特許文献１の技術においては、新しいレール基盤を交換した前後で屋内側寄りで溜めることができる水の水位は変わらないが、屋外の風圧が強い場合に水が屋外から水抜き穴を逆流して下枠に入ってしまい、下枠に溜まる水が増えて屋内に水が浸入してしまうという問題がある。
本発明は、上記の問題点を解決するため、既設下枠に新規レールアタッチを取付けて構成し、かつ水密構造がウォータバランス構造の改修用下枠において、屋内に水が浸入するのを防止する手段を提供することを目的とする。
【課題を解決するための手段】
【０００７】
本発明は、上記課題を解決するために、支持板と、該支持板に突出して一部を切欠いた屋内側レールと、前記支持板から屋内側で上方に立ち上がる立上り部とを有する既設下枠と、該既設下枠に、上方から重ねて取付ける新規レールアタッチとを備えた改修用下枠において、新規レールアタッチは、上方から前記支持板と対向する対向板と、該対向板から垂下し、前記屋内側レールに当接するレール支持部とを備え、前記対向板の屋内側の端部が、前記立上り部と所定の間隔をあけて対向して前記既設下枠の下枠底部と立上り部で空間を形成すると共に新規レールアタッチの新規レール底板と既設下枠底部との間を仕切る逆止弁を新規レール底板に取り付けることによりウォータバランス構造を構成したことを特徴とする。
【発明の効果】
【０００８】
これにより、本発明は、既設下枠の立上り部と新規レールアタッチの対向板との間から対向板上の水が支持板に落ちて既設下枠の上まで水を溜めることができ、溜まった水の重力で屋外から浸入する水を押し返すことができるので、屋内に水が浸入するのを防止することができる。
【発明を実施するための最良の形態】
【０００９】
以下に、図面を参照して本発明による改修用下枠の実施例について説明する。
【実施例１】
【００１０】
図１は実施例１の改修用下枠を適用したサッシを示す縦断面図、図２は実施例１のサッシを示す上面図である。
図１、図２において、１はサッシであり、上枠２と改修用下枠３および屋内から屋外側に向かって右縦枠４、左縦枠５とによって方形の枠体が構成され、その開口部に屋内側障子６と屋外側障子７がスライドして開閉するように取付けられる。
【００１１】
改修用下枠３は、既設下枠１０と新規レールアタッチ２０、必要に応じて取付けられる下枠網戸レール部３０とによって構成される。
図３は実施例１の改修用下枠を示す説明図、図４は既設下枠と新規レールアタッチ間を示す横断面図である。
図３において、既設下枠１０は、その屋内側に外壁面に沿って立上るように設けられた立上り部１１と下枠底部１２、屋内側レール１３、屋外側レール１４等を有して構成される。
【００１２】
下枠底部１２は、立上り部１１から屋外側に向かって略水平に形成された支持板１２ａと、支持板１２ａから１段下がった高さ位置から屋外側に向かって下方に傾斜するように形成された勾配板１２ｂ、垂直に伸長して支持板１２ａと勾配板１２ｂとを繋ぐ段部１２ｃとを備える。
屋内側レール１３は、支持板１２ａから上方に突出して逆Ｌ字状の端部（係合端１３ａという。）が形成される。
【００１３】
また、屋内側レール１３の前記屋内側障子６がスライドする方向（スライド方向という。）の全長は、下枠底部１２のスライド方向の全長と同じ長さであるが、図４に示すようにスライド方向の片側に切欠き部１３ｂが設けられる。
屋外側レール１４は、勾配板１２ｂから上方に突出してＬ字状の端部（係合端１４ａという。）が形成されている。
【００１４】
また、屋外側レール１４のスライド方向の全長は、下枠底部１２のスライド方向の全長よりも短い長さに形成され、図４に示すようにその両端部が前記右縦枠４および左縦枠５と所定の間隔をあけるように形成される。
図３において、新規レールアタッチ２０は新規レール底板２１とレール支持部２２、係止部２３、屋内側改修レール２６、屋外側改修レール２７および逆止弁係止溝２８とを備えて構成される。
【００１５】
新規レール底板２１は、下枠底部１２の上方で支持板１２ａに対向する対向板２１ａと、対向板２１ａよりも屋外側で一段下がった高さ位置で屋外側に向かって下方に傾斜した傾斜板２１ｂとを備える。
新規レール底板２１には下枠底部１２の段部１２ｃの真上で、対向板２１ａと傾斜板２１ｂとを繋ぐ新規段部２１ｃが形成される。
【００１６】
また、新規レール底板２１のスライド方向に対する全長は、下枠底部１２のスライド方向の全長よりも短く形成され、図４に示すように右縦枠４および左縦枠５と所定の間隔をあけるように配置される。
対向板２１ａは、その屋内側の端部と既設下枠１０の立上り部１１との間に所定の間隔Ｗをあけて対向するように、図３の矢印Ａで示す方向の長さが決定され、形成される。
【００１７】
レール支持部２２は、図３に示すように対向板２１ａから垂下するように、下方に伸長する屋外側の補強材２２ａと屋内側の係止材２２ｂとによって略コの字状に形成され、補強材２２ａと係止材２２ｂとの間に屋内側レール１３を嵌合させている。
係止材２２ｂには、レール支持部２２に屋内側レール１３を嵌合させたときに、屋内側レール１３の係合端１３ａに係合するようにして当接する係止端２２ｃが形成される。
【００１８】
また、レール支持部２２は図４に示すように屋内側レール１３の切欠き部１３ｂと同じ位置に切欠き部２２ｄが形成される。
図３において、係止部２３は傾斜板２１ｂの下面に設けられて屋外側レール１４の係合端１４ａが嵌まる係止溝２３ａや、係合端１４ａに対向するＬ字状の係止端２４ａを有するリブ２４によって形成される。
【００１９】
リブ２４には、屋外側レール１４に取付けられるタッピングねじ等の取付ねじ１５を挿入するための取付穴２５が複数設けられる。
屋内側改修レール２６は、補強材２２ａと係止材２２ｂ間付近で対向板２１ａから上方に伸長して形成され、屋内側障子６のスライド移動を案内する。
屋外側改修レール２７は、係止溝２３ａ付近で傾斜板２１ｂから上方に伸長して形成され、屋外側障子７のスライド移動を案内する。
【００２０】
逆止弁係止溝２８は、新規段部２１ｃと係止部２３との間で、段部１２ｃに対向配置された四角断面形状を有する溝であって、その段部１２ｃに対向する面の一部が開口するように形成され、先端が下枠底部１２の段部１２ｃの中間に斜めに当接する当接片２９ａを備えた逆止弁２９を嵌合させて設置する。
逆止弁２９は、スライド方向の全長が新規レール底板２１のスライド方向の全長と同じ長さに形成される。
【００２１】
当接片２９ａは、塩ビによって製作されており、上から作用する水の重力に応じて下方に垂れ下がるように湾曲するのに対して下から圧力が作用した場合はその先端が段部１２ｃの中間に当たってそれ以上上方に湾曲しないため、屋外側から逆流した水をせき止めるようにして水が段部１２ｃを越えて支持板１２ａ上に流れるのを防止して段部１２ｃとの間を閉止する。
【００２２】
これにより、当接片２９ａを境に上方から水の重力が、下方からは逆流する水の圧力が同時に作用した場合に、上方からの水の重力が下方からの水の圧力よりも大きくなったときに当接片２９ａは、下方に湾曲して水の重力とバランスをとる働きをする。
下枠網戸レール部３０は、図示しない網戸の移動路となる網戸レール３０ａを有し、さらにリブ２４に沿うように伸長する取付部３１を有している。
【００２３】
また下枠網戸レール部３０の取付部３１には、リブ２４の取付穴２５と同じ位置に取付ねじ１５を挿入する取付穴３２が複数設けられる。
図４において、３５はつなぎ部であり、新規レールアタッチ２０の逆止弁２９と、右縦枠４および左縦枠５とのそれぞれの間で新規レール底板２１と下枠底部１２間を塞ぐ水密材等の金具であり、逆止弁２９と右縦枠４および左縦枠５との間から水が流れるのを防止する。
【００２４】
上述した既設下枠１０に新規レールアタッチ２０を取付けて改修用下枠３を構成する方法について説明する。
図５は実施例１の既設下枠に新規レールアタッチを取付ける様子を示す説明図であり、（ａ）は新規レールアタッチを既設下枠に取付ける前の状態を示す説明図、（ｂ）は取付けの途中を示す説明図、（ｃ）は取付けた状態を示す説明図である。
【００２５】
まず、図５（ａ）に示すように係合端１４ａに新規レールアタッチ２０の係止端２４ａをかみ合わせた状態にしてリブ２４と屋外側レール１４とを接触させ、レール支持部２２の補強材２２ａと係止材２２ｂとの間に屋内側レール１３が嵌合し、係止部２３の係止溝２３ａに屋外側レール１４が嵌まるように新規レールアタッチ２０を下方に移動させる。
新規レールアタッチ２０を移動させると図５（ｂ）に示す係止材２２ｂの係止端２２ｃと屋内側レール１３の係合端１３ａとが当る位置から下方に動かなくなることがあるので、ゴムハンマー等で新規レールアタッチ２０を軽く叩いて押し込むことによって補強材２２ａと係止材２２ｂとの間に屋内側レール１３が嵌合し、係止溝２３ａに屋外側レール１４が嵌合する。
【００２６】
そして、下枠網戸レール３０の取付部３１を係止部２３のリブ２４に接触させ、図５（ｃ）に示すように下枠網戸レール３０の取付穴３２およびリブ２４の取付穴２５に取付ねじ１５を挿入し、屋外側レール１４にねじ止めして固定する。このようにして既設下枠１０に新規レールアタッチ２０を取付けて改修用下枠３を構成する。
なお、つなぎ部３５は、新規レールアタッチ２０を取付ける前に予め既設下枠１０に設置するようにしてもよく、新規レールアタッチ２０を取付けてから設置するようにしてもよい。
【００２７】
次に本実施例の改修用下枠の排水機構について説明する。
図６は改修用下枠の排水の様子を示す説明図、図７は既設下枠と新規レールアタッチとの間の空間に流れる水を示す説明図である。
雨等によって改修用下枠３に水が侵入したとき、その水は図６に示すように新規レール底板２１の対向板２１ａと立上り部１１との間から下枠底部１２に落ち、また新規レール底板２１のスライド方向に対する長さが下枠底部１２のスライド方向の長さよりも短いことから新規レール底板２１の側方からも下枠底部１２に落ちて屋外側へ流れる。
【００２８】
図７に示すように水は、屋内側レール１３の切欠き部１３ｂとレール支持部２２の切欠き部２２ｄを通過して流れていく。
屋外側に流れる水が逆止弁２９にあたると、そのときの水の圧力によって逆止弁２９の当接片２９ａが下方に湾曲するために、水は勾配板１２ｂに落ちて屋外側へ流れていく。
勾配板１２ｂを流れる水は、係止部２３のリブ２４の横を回り込むようにして流れ、屋外に排出される。
【００２９】
以上説明したように、本実施例では、既設下枠の立上り部と新規レールアタッチの対向板との間に間隔をあけ、また新規レール底部のスライド方向の長さを下枠底部のスライド方向の長さよりも短くしたため、新規レール底板上の水が下枠底部に落ちるため、水はその水位が下枠底部から立上り部の上端まで溜まるので、ウォータバランス構造の機能を十分に発揮でき、水が屋内に浸入するのを防止することができる。
【００３０】
また、逆止弁を取付けたことによって、強い風圧等によって屋外から逆流した水が下枠から屋内に浸入するのをせき止めることができ、水が屋内に浸入するのを防止することができる。
なお、上記実施例１においては、係止部の係止端と係合する逆Ｌ字状の係合端を形成した屋内側レールを例に説明したが、係合端の形状はこれに限らずＴ字状としてもよく、また係合端を設けないようにしてもよい。
【００３１】
ここで、図８は既設下枠の他の態様による改修用下枠を示す説明図である。
図８においては、屋内側レール１３は係合端を有しない形状で形成しており、この場合の係止材２２ｂは係止端が形成されないで、屋内側レール１３に当接するように設けられている。
また、上記実施例１においては、段部を形成した既設下枠を例に説明したが、図８に示すように段部を有しない既設下枠１０に適用する場合は、逆止弁２９の当接片２９ａを、その先端が既設下枠１０の下枠底部１２に当たるように形成し、かつ屋外側に流れる水の圧力で湾曲して先端が下枠底部１２から離れ、屋内側から逆流する水の圧力が作用したときは先端が下枠底部１２に当たったまま湾曲しないで、逆流する水をせき止めるように新規レールアタッチ２１と既設下枠１０との間を閉止するように形成する。
【００３２】
また、上記実施例１においては、レール支持部を、補強材と係止材とで形成して屋内側レールに嵌合させるとして説明したが、補強材または係止材の一方だけとするようにしてもよく、その場合は屋内側レールに当接するように補強材または係止材を形成する。
【図面の簡単な説明】
【００３３】
【図１】実施例１の改修用下枠を適用したサッシを示す縦断面図
【図２】実施例１のサッシを示す上面図
【図３】実施例１の改修用下枠を示す説明図
【図４】既設下枠と新規レールアタッチ間を示す横断面図
【図５】実施例１の既設下枠に新規レールアタッチを取付ける様子を示す説明図
【図６】改修用下枠の排水の様子を示す説明図
【図７】既設下枠と新規レールアタッチとの間の空間に流れる水を示す説明図
【図８】既設下枠が段部を有しない場合の改修用下枠を示す説明図
【図９】水密構造がウォータバランス構造である下枠を示す説明図
【符号の説明】
【００３４】
１    サッシ
２    上枠
３    改修用下枠
４    右縦枠
５    左縦枠
６    屋内側障子
７    屋外側障子
１０  既設下枠
１１  立上り部
１２  下枠底部
１２ａ  支持板
１２ｂ  勾配板
１２ｃ  段部
１３  屋内側レール
１３ａ、１４ａ  係合端
１３ｂ、２２ｄ  切欠き部
１４  屋外側レール
１５  取付ねじ
１６  ねじ穴
２０  新規レールアタッチ
２１  新規レール底板
２１ａ  対向板
２１ｂ  傾斜板
２１ｃ  新規段部
２２  レール支持部
２２ａ  補強材
２２ｂ  係止材
２２ｃ、２４ａ  係止端
２３  係止部
２３ａ  係止溝
２４  リブ
２５、３２  取付穴
２６  屋内側改修レール
２７  屋外側改修レール
２８  逆止弁係止溝
２９  逆止弁
２９ａ  当接片
３０  下枠網戸レール部
３５  つなぎ部
１００、１２０  下枠
１０１、１２１  屋外側レール
１１０、１３０  屋外側障子
１１１、１３１  屋内側障子
１４０  気密材
【図１】
0004603967.tif 000002
【図２】
0004603967.tif 000003
【図３】
0004603967.tif 000004
【図４】
0004603967.tif 000005
【図５】
0004603967.tif 000006
【図６】
0004603967.tif 000007
【図７】
0004603967.tif 000008
【図８】
0004603967.tif 000009
【図９】
0004603967.tif 000010